(57)【要約】【解決手段】一人又は数人のためのスチームバスキャビネットは、床（１）と、壁（２）と、天井（３）と、開閉可能なドア（５）と、スチームバスキャビネット内部に形成される浴室（７）と、浴室に導かれる蒸気を製造する蒸気生成設備（１０）を収納する機械室（８）とを有する。本発明に係るスチームバスキャビネットは、浴室（７）と機械室（８）との間に配置され、蒸気及び水に対して耐性を有する方法で浴室を機械室から隔離するパーティション（６）を有し、スチームバスキャビネットの浴室（７）の自由蒸気空間の容積は、一人当たり０．６立方メートル以下であることを特徴とする。【選択図】図１
2009529932.tif 000002
【特許請求の範囲】
【請求項１】
一人又は数人のためのスチームバスキャビネットであって、床（１）と、壁（２）と、天井（３）と、開閉可能なドア（５）と、当該スチームバスキャビネット内部に形成される浴室（７）と、当該浴室に導かれる蒸気を製造する蒸気生成設備（１０）を収納する機械室（８）とを有するスチームバスキャビネットにおいて、
前記スチームバスキャビネットは、前記浴室（７）と前記機械室（８）との間に配置され、蒸気及び水に対して耐性を有する方法で当該浴室を当該機械室から隔離するパーティション（６）を有し、
前記スチームバスキャビネットの前記浴室（７）の自由蒸気空間の容積は、一人当たり０．６立方メートル以下であることを特徴とするスチームバスキャビネット。
【請求項２】
請求項１に記載のスチームバスキャビネットにおいて、
前記パーティション（６）は断熱を備えており、
前記パーティション（６）は、主に椅子（９）の形状に形成され、前記浴室（７）と機械室（８）との間にあって、当該浴室内に据え付けられる当該椅子に主に互換の位置に取り付けられることを特徴とするスチームバスキャビネット。
【請求項３】
請求項１又は請求項２に記載のスチームバスキャビネットにおいて、
前記スチームバスキャビネットは、蒸気の量と流れとを制御するための制御装置（１２）を含むことを特徴とするスチームバスキャビネット。
【請求項４】
請求項１乃至請求項３のいずれか１項に記載のスチームバスキャビネットにおいて、
前記浴室（７）は、前記蒸気生成設備（１０）によって生成された蒸気を入浴中に望ましい場所へ向けるために方向を調節できる調節可能な蒸気ノズル（２０）を含むことを特徴とするスチームバスキャビネット。
【請求項５】
バスキャビネット内に椅子（９）を備える、請求項１乃至請求項４のいずれか１項に記載のスチームバスキャビネットにおいて、
前記椅子（９）の高さを調節するために、前記浴室は、少なくとも１つのアクチュエータ（１８）を有することを特徴とするスチームバスキャビネット。
【請求項６】
請求項５に記載のスチームバスキャビネットにおいて、
前記椅子（９）は、別個独立して調節可能な少なくとも２つの部品に分けられることを特徴とするスチームバスキャビネット。
【請求項７】
請求項１乃至請求項６のいずれか１項に記載のスチームバスキャビネットにおいて、
前記浴室（７）は、自由蒸気室を別個の区画に分けるための少なくとも１つの仕切り壁を有することを特徴とするスチームバスキャビネット。
【請求項８】
請求項１乃至請求項７のいずれか１項に記載のスチームバスキャビネットにおいて、
前記機械室（８）は、前記スチームバスキャビネットに必要とされるエネルギを貯える電池を有することを特徴とするスチームバスキャビネット。
【請求項９】
請求項１乃至請求項８のいずれか１項に記載のスチームバスキャビネットにおいて、
前記スチームバスキャビネットは、当該スチームバスキャビネットの壁部（１〜３）上に凝縮される水を収集するための凝縮液管を有することを特徴とするスチームバスキャビネット。
【請求項１０】
請求項１乃至請求項９のいずれか１項に記載のスチームバスキャビネットにおいて、
入浴後に前記浴室を乾燥させるために、当該浴室の下方部分に加熱装置（１１）があることを特徴とするスチームバスキャビネット。
【発明の詳細な説明】
【技術分野】
【０００１】
本発明は、一人又は数人のためのスチームバスキャビネット（steam bath cabinet）に関する。スチームバスキャビネットは、床と、壁と、天井と、開閉可能なドアと、スチームバスキャビネット内部に形成される浴室と、浴室に導かれる蒸気を製造する蒸気生成設備を収納する機械室とを有する。
【背景技術】
【０００２】
スチームバスキャビネットは、身体を洗うためとリラックスするために設計された装置であり、空間がないなどの理由により特別な蒸気小屋（special steam cabin）やサウナを建てることができない場所には理想的である。スチームバスキャビネットは、比較的長い期間、世界中の様々な場所で使われている。既知のスチームバスキャビネットは通常一人の使用を意図しているが、その中に建てられる蒸気室は一人の入浴者のために設計される。通常、入浴者は蒸気室内に完全には入らず、代わって、入浴者が身体の他の部分をスチームバスキャビネット内に入れたままで自分の頭をスチームバスキャビネットの外に出しておける開口部が室の天板部分（天井）にある。
【０００３】
既知のスチームバスキャビネットは比較的大きな蒸気部屋を有し、時には貧弱な断熱を有している。この理由のために、そのようなキャビネットに関する問題は、スチームバスを適切な温度に到達させるために、それらは非常にたくさんの熱を必要とし、不必要に長い加熱時間を必要とすることにある。大きなスチームバスキャビネットはまた動かすことが困難である。大きな浴室を備えたスチームバスキャビネットはたくさんの空間を占有し、大きな熱的な損失を受ける。スチームバスキャビネットと、蒸気を製造するために必要とされる蒸気生成器とは、別個のユニットであり、パイプを使って蒸気を別個の蒸気生成器からスチームバスキャビネットへ導かなければならないから、スチームバスキャビネットを頻繁に再配置することは煩雑である。
【０００４】
スチームバスキャビネットの浴室に備えられる椅子は、スチームバスが使われている間、腰掛けとして使用され最大限のリラックスを提供するために設計されている。通常、椅子はスチームバスキャビネットの床に取り付けられるか、或いは、背もたれとして機能する壁に固定される。水平面に対して後方に傾斜している座位置を提供するリクライニングの背もたれを備えた椅子がある。そのような椅子に座ったとき、入浴者は緊張することなくリラックスできる。呼吸のための新鮮な空気を入浴者に提供する一方でスチームバスキャビネット内の自由蒸気空間を可能な限り小さくするために、入浴者の頭を完全に蒸気室の外に置くことが望ましい。このとき、問題は、背の高さと身体の大きさが違う入浴者のために椅子を調節することで生じる。既存のスチームバスキャビネットにしばしば関連する別の問題は、スチームバスキャビネットと椅子の、特に後ろの、掃除と洗浄が複雑になるような方法で椅子構造が作られる必要があることである。
【発明の開示】
【発明が解決しようとする課題】
【０００５】
例えば、年配者や身体に障碍を有する人々が援助なしで既存の多くのスチームバスキャビネットを使うことは、既知の多くのスチームバスキャビネットは人間工学的な設計が貧弱であるから、たとえ不可能ではないにせよ、困難であることがわかるであろう。その上、仮に人間工学的な設計がより良いもので動かしたり使用したりすることが既存のスチームバスキャビネットよりも容易であるのなら、スチームバスキャビネットはより広範囲に使用されるであろう。更に、既存のスチームバスキャビネットはかなり大きい自由蒸気空間（即ち、例えば、壁、床、天井、開閉可能なドアのような、スチームバスキャビネット内部の浴室の内側表面によって限定される浴室内側の空間）を有するが、たとえそうであっても、入浴中に入浴者が動く空間はほとんどない。その結果、入浴者が動くことができる空間はほとんどないので、樺の小枝を使って打つことと同等にスチームバスキャビネットの浴室内で気流を生成することは困難である。
【０００６】
本発明の目的は、既知のスチームバスキャビネットに関連した不利な点を除去したスチームバスキャビネットを提供することである。特に、本発明の目的は、極力良いエネルギ経済性を達成するために、蒸気空間は極力小さいが入浴者が動くのに充分な空間を有し、入浴者が快適に感じて極力リラックスできるスチームバスキャビネットを提供することである。加えて、本発明の目的は、大きさの点では小さく比較的少しの空間を占めて、移動させるのが容易なスチームバスキャビネットを提供することである。更に、本発明の目的は、蒸気生成設備は大きさがコンパクトで空間をほとんど占めず低エネルギ消費であるという事実にもかかわらず、人間工学的で蒸気の量と流れとをさまざまな方法で調節可能なスチームバスキャビネットを提供することである。
【０００７】
本発明の目的は、特許請求の範囲に提示された特徴を有するスチームバスキャビネットによって達成される。
【課題を解決するための手段】
【０００８】
本発明にかかるスチームバスキャビネットの特徴は、蒸気及び水に対して耐性を有する障壁をその２つの間に提供することによって浴室を機械室から隔離するためにパーティションが浴室と機械室との間に備えられること、スチームバスキャビネット内の自由蒸気空間の最大容積が一人当たり０．６立方メートルであることである。パーティションのおかげで、自由蒸気空間の容積を一人当たり０．６立方メートル以下に容易に限定することができる。従って、提案されたスチームバスキャビネットは、パーティションが適用されないキャビネットよりもかなり小さいが、浴室が入浴者にとって狭苦し過ぎて不快過ぎると感じさせないのに未だに充分に大きい。自由蒸気空間が小さいおかげで、既存で既知のスチームバスキャビネットと同じ量の蒸気を生成することは必要ない。必要とされる蒸気の量が少ないため、蒸気生成器はほとんど空間を占めずほとんどエネルギを消費しない低出力のコンパクトな蒸気生成器からなるかもしれない。
【０００９】
本発明に係るスチームバスキャビネットの実施形態のひとつでは、パーティションは断熱され、椅子の形状に形成され、浴室と機械室の間であって浴室内に据え付けられる椅子と互換性を有する位置に配置される。その結果、空の空気／蒸気空間の最小限の量が浴室内に据え付けられる椅子の後ろに残されて、それで、スチームバスに入る者に最大限の快適さを提供する浴室空間が提供される。断熱のおかげで蒸気がパーティションの内側表面上に凝縮されることを防ぎ、蒸気の必要を更に減じる。
【００１０】
本発明に係るスチームバスキャビネットの実施形態のひとつでは、浴室は、蒸気の量と流れとを規制する制御装置を有する。制御装置は、浴室の温度と湿度とが一定にされて、過度に熱い又は冷たい領域が浴室内に形成されないように、浴室へ滑らかで均一に供給される蒸気の流れを調節するために使われる。
【００１１】
本発明に係るスチームバスキャビネットの実施形態のひとつでは、浴室は、蒸気生成器によって製造される蒸気の噴出口を入浴中に好ましい方向に向けるために使用されることができる調節可能な蒸気ノズルを有する。これらの蒸気ノズルを使って、可能な限り均一で安全に浴室を加熱するような方法で、蒸気は浴室に向けられる。加えて、蒸気ノズルは、個々の入浴者の必要や好みに応じて蒸気の向きを変えることを可能にする。
【００１２】
次に、本発明を添付図面を参照しつつ、より詳細に説明する。
【発明を実施するための最良の形態】
【００１３】
図１に示されるスチームバスキャビネットは、床１と、壁２と、天井３と、前面壁に提供された開口部４に掛けられたドア５とを有する。内部では、スチームバスキャビネットは、水及び蒸気に対して耐性を有するパーティションによって浴室７と機械室（technical compartment）８とに分けられる。加えて、本発明に係るスチームバスキャビネットは、動かすことを容易にするためのスチームバスキャビネットのベースに取り付けられた車輪２４と同様に、椅子９と蒸気生成器１０と加熱装置１１と制御部１２とを含む。更に、図１に示されたスチームバスキャビネットは、特に、浴室内に置かれた蒸気ノズルと、蒸気生成器と蒸気ノズル（不図示）とに相互接続した蒸気供給管とを含む。
【００１４】
このケースでは、浴室７の床１と壁２と天井３とドア５とは、内側面上に耐湿度のポリウレタン絶縁でシートされた被覆金属で作られている。ポリウレタン絶縁は、外側面上に置かれた金属シートの内側表面に湿気と熱とが侵入することを防ぐ。例えば、この断熱はポリウレタンシートからなり、また、断熱は金属シートの内側表面上にポリウレタンを吹き付けたり、押し出し成型したり、或いは、鋳造したりすることによって提供される。湿気に対する充分な耐性を確実にするために、ポリウレタン断熱の内側表面（スチームバスキャビネットの内側に面している表面）は、蒸気室内の湿気と熱のストレスに耐える既知の塗料で被覆される。壁内の継ぎ目部分に隙間が無いことは、壁ユニットが他の壁ユニットに取り付けられた後で内側表面が完成される前に、その継ぎ手部分にポリウレタンの泡を適用することによって確実にされる。
【００１５】
図２に示されるように床５はカーブしており、形状は側壁面上にわずかに突き出している側面を備えた少し住宅様である。このことにより、ドアと壁との間の継ぎ手部分を不必要に長くすることなく、そして、ドアを大きく重くすることなく、スチームバスキャビネットへの容易なアクセスを可能にし、開口部を充分に大きくできている。加えて、ゴム又はプラスチックで作られる好適なシール（壁の端に固定される）は、動作中にドアが閉じらて耐湿気にされることを確実に可能とするように、ドア５と壁２との間に提供される。既知のタイプの掛け金がヒンジの反対側に提供されるが、ドアはドアの開口部の端に取り付けられた既知のヒンジに掛けられている。その掛け金は、スチームバスキャビネットの内側又は外側から開けられることを可能にし、そして、入浴中にドアが確実に閉じられること、必要なときには容易で迅速に開けられることを可能にする。
【００１６】
本実施形態では、浴室と機械室との間のパーティション６は椅子に似た形状を有しており、同時に、椅子９の支持表面として機能する。本実施形態では、パーティションは、パーティションの上面に据え付けられローラ上で支えられる移動椅子９によって出される負荷を確実に吸収することが可能となるように、充分に硬くて強い金属板で作られる。
【００１７】
このケースでは、椅子９は、リクライニングシートに似た形状の単一部品からなる。それは、椅子のような形状の２つの金属枠ビーム１３と、その間に置かれた木製の椅子張り板（seat battens）１４と、その枠ビームに取り付けられたローラ１５とを有する。その椅子は、図１に示されるようにローラによって、パーティション６の上にて支持されている。加えて、浴室は、これも木製の、首休め（neck rest）１６と肘掛け１７とを含む。更に、浴室は椅子とスチームバスキャビネットの前面壁との間に取り付けられ、椅子の高さを調節するためにスピンドルモータの移動ヘッドの移動に従って椅子をパーティションに沿った上方と下方に傾斜方向に移動させるスピンドル電気モータ１８を含む。制御スイッチは、椅子９の高さを調節するために、そして、スチームバスキャビネットが電気モータによって操作される移動機構に適合するのであればスチームバスキャビネットを移動させるために、スチームバスキャビネットの内側から蒸気生成器１０と加熱装置１１とを始動させたり停止させたりするよう肘掛け１７の下方部分にて提供される。
【００１８】
パーティション８の後ろの機械室８には、構造と動作に関する限り既知のタイプのスチームバスキャビネット蒸気生成器である蒸気生成器１０がある。蒸気供給管１９は、蒸気生成器から、図１に示されるように置かれたパーティション６内に作られた開口部に取り付けられた蒸気ノズル２０まで導かれて提供される。別個の加熱装置１１は、機械室の中で椅子の下方部分に対応する位置に備えられる。加熱装置は、パーティションの下方表面に対向して位置する上部に開口された保護筐体２１を有し、保護筐体の内部には電気抵抗２２がある。電気抵抗によって生成される熱は、その保護筐体が置かれる位置にてパーティションの中に提供される穴２３を通して開放される。電気抵抗は構造に関して既知のタイプのものであり、筐体内の空気を加熱するために使われる。空気は、それから一旦加熱された浴室へ移送される。加えて、電気抵抗は、スチームバスキャビネットの底へ流れようとしている濃縮液と水とを乾燥させるために使われる。
【００１９】
加えて、図１及び図２に従ったスチームバスキャビネットの機械室は制御ユニット１２を有する。それは、蒸気生成器１０、加熱装置１１、電気スピンドルモータのための制御スイッチを収納する金属ケースを含む。また、制御ユニットは、とりわけ、スピンドルモータのために既知のタイプの電源を含む。更に、制御ユニットは既知のタイプのコンピュータとマイクロコントローラとを含む。マイクロコントローラは、蒸気生成器１０と、加熱装置１１と、コンピュータ内に据え付けられたプログラムによって椅子９を移動させるスピンドルモータ１８とを制御するために使われる。
【００２０】
たくさんの詳細に関して、本発明に係るスチームバスキャビネットは、違って実施される場合がある。スチームバスキャビネットの床と壁と天井とドアとは好ましくは断熱され、継ぎ手部分の表面の最小限５０％が水及び蒸気に耐性を有する継ぎ手を提供するためにシールされている。床と壁と天井の断熱は、蒸気室の側から、又は、蒸気室を囲む表面が作られる材料に依存している蒸気室の外側のいずれかで、断熱されるように構造に適用される場合がある。ポリウレタンに替えて、断熱は、コルクやガラスウール、ポリスチレン、その他の断熱材、又は、類似の設備や構造に共通に使用される材料から構成される。図３において、図１及び図２に示される実施形態は、比較的厚い椅子を提供している。その結果、浴室は、狭苦しく感じさせることなく、大きさの点で減じることができる。より小さい浴室によれば、必要とされる蒸気量を減じることが可能であり、図１及び図２に示される実施形態に比較すれば、スチームバスキャビネットのエネルギ消費を減じることができることを意味する。
【００２１】
スチームバスに必要な蒸気量を、スチームバスキャビネットに含まれる比較的低いエネルギの蒸気生成器にとって充分に低い程度にまで減じるために、本発明に係るスチームバスキャビネットの自由蒸気空間は通常０．４立法メートル未満である。しかし、０．６立方メートルの自由蒸気空間を備えるスチームバスキャビネットでさえ、その比較的低いエネルギの蒸気生成器を使って必要な蒸気量を生成すること、本発明に係るスチームバスキャビネットの典型的なエネルギ消費量を達成することが可能である。
【００２２】
いくつかのケースでは、スチームバスキャビネットの内側又は外側は、木、金属、ゴム、コルク、セラミック材料、布、革、及び／又は、プラスチックで包まれる場合がある。加えて、違った材料は撥水材で覆われ、型と湿気とに起因するストレスに対する抵抗を作ることができる。蒸気室の底面には洗浄に使用された濃縮液と水のための水収集容器があるかもしれないし、或いは、いくつかのケースでは、この水を別個の下水システムに導く場合、及び／又は、入浴及び洗浄後にこの水を別個の加熱装置で乾燥する場合もある。
【００２３】
いくつかのケースでは、身体の大きさに応じて入浴者の頭をスチームバスキャビネット内の特定の位置に配置されるように、浴室内の椅子が調整可能である。概して、頭はスチームバスキャビネットの外に保たれることが望ましい。身体の大きさが異なる入浴者から見て適合性を確実にする別の方法として、スチームバスキャビネットの天板部分を調節可能にすることがある。その場合、椅子は所定の位置に常時固定される。これらの調節が、着脱可能な浮揚ブロック（raiser blocks）、又は、電気制御のスピンドルモータ、空気圧又は油圧シリンダ、又は、電気モータで調節可能な椅子又は椅子部品を使って行われる場合もある。いくつかのケースでは、椅子は移動装置上で支持される場合があるし、或いは、スライドガイド、ホイール、ローラ、又は、スライド面上の一箇所又は数箇所で静止する場合もある。椅子の自重は下方に向けた動きを確実にするのに充分であるから、椅子を動かすのに必要なアクチュエータは一方向の空気圧又は油圧シリンダから構成されることができる。しかしながら、いくつかのケースでは、特に椅子が軽いのであれば、椅子を望ましい方向に引いたり押したりの両方をするような方法で移動装置を実行することが望ましい。同様に、スチームバスキャビネットの天板部分の高さは、類似の移動装置で、そして、スライドガイドの天板部分、ホイール、ローラ、静止するスライド面をスチームバスキャビネットのより低い部分の上に取り付けることによって調節されることができる。
【００２４】
最適な条件では、自由蒸気室の温度は摂氏約４０乃至５０度で相対湿度は約６０乃至１００％、又は、温度は摂氏約５０乃至６０度で相対湿度は約４０乃至９５％、又は、温度は摂氏約６０乃至７０度で相対湿度は約３０乃至８０％、又は、温度は摂氏約８０乃至９０度で相対湿度は約２０乃至７０％、又は、温度は摂氏約９０乃至１００度で相対湿度は約１０乃至６０％である。入浴中に温度と湿度を調節可能な方法で、浴室内の温度と相対湿度の調節が実行されることが可能である。本実施形態では、例えば、減量プログラム、即ち、スチームバス、治療と処置のセッション、休息期間及びこれらの任意の組み合わせなど、様々な治療処置と健康処置とを利用するためにスチームバスキャビネットが使われる方法で、スチームバスキャビネットの制御が実行される場合がある。スチームバスキャビネットが、例えば、別個の制御器、又は、そのような目的のために設計された予めプログラムされたコンピュータアプリケーションソフトウエアに適合するとき、様々なスキンケアや他の薬品を適用する前に、本発明に係るスチームバスキャビネットが皮膚の毛穴を開けるために使用される場合もある。加えて、本発明に係るスチームバスキャビネットは、スチームバス中に入浴者のすすぎ洗い、及び／又は、身体を洗うためのシャワー設備を有するかもしれない。更に、本発明に係るスチームバスキャビネットの本実施形態は、スチームバス中に空気マッサージを提供するため、そして、スチームバス後に暖かい空気で入浴者を乾かすために、浴室内に置かれた空気ノズルを有するかもしれない。
【００２５】
たとえスチームバスキャビネットがベース上の正しい位置にないとしても、洗浄に使用された任意の濃縮液と任意の水が蒸気室の低い部分の好ましい小領域へ排水されることを可能にするために、スチームバスキャビネットの床、可能であれば、壁、及び／又は、天井は、垂直か、或いは、角度を有する表面である。このことにより、スチームバスキャビネットの底から濃縮液と洗浄水とを排水したり、収集したり、蒸発させたりすることが容易になるであろう。スチームバスキャビネットが据付指示書に示された位置にあるとき、その領域が０．２平方メートル未満となるようにスチームバスキャビネットの床の最も低い部分の平坦な底を設計することが望ましい。また、キャビネットの位置が据付指示書に示されたように調節されるとき、蒸気室内の任意の場所で平坦な表面に注がれた２立方デシメートル（２ｄｍ3）の水で創られる水溜りの領域が常に０．１平方メートル未満であるように、スチームバスキャビネットの床を設計することも可能である。仮に排水又は収集領域が蒸気室の底に備えられるのなら、スチームバスキャビネット内の平坦な表面上の任意の場所に注がれるとき、上記した２立法デシメートルの水のうち少なくとも１．９立法デシメートルは、途中に障害物がなくてスチームバスキャビネットが据付指示書内にて示された位置に調節されているとき、そのような排水又は収集箇所への道を見つけなければならない。
【００２６】
浴室内の蒸気空間を減じて蒸気をより効果的に入浴者の皮膚に向ける例から、樺の小枝（birch-twigs）を持って入浴することに匹敵する気流が提供される場合がある。そのように減じることは、仕切り（divider）を使って浴室をより小さい区画（sections）へ区切ることによって達成されるが、別個の気流ガイドを使ってこの効果を改善することも可能である。そのような解決案では、入浴中又は予めのどちらかに別個のガイド又は予めプログラムされたアプリケーションソフトウエアで気流を調節することができる。仕切りを使って浴室の違った部分で違った湿度と温度の条件を作り出すことが可能である。仕切りは、例えば、ポリスチレンの断熱プラスチックの仕切り、或いは、可能な限り高温断熱性能を備えた任意の好適な木からなるかもしれない。仕切りはまた、ゴムや、例えば、タオルを作るのに使用されるような様々な織物からなるかもしれない。仕切りを使って、脚と胴とが別個の区画にあるような方法で、或いは、腕と脚とが身体の他の部分から離れたそれ自身の空間にあるように、浴室は分けられる。また、様々な弾力性を有する空気パッドや類似の物品を使って、或いは、入浴者とスチームバスキャビネットとに応じて設計された仕切りを備えた特別の入浴着を入浴者に着させることによって、浴室の蒸気空間を更に減じることが可能である。
【００２７】
通常、スチームバスキャビネットへの入り口又はスチームバスキャビネットからの出口は、開けることが可能なドアによる。ドアは、スチームバスキャビネットの天板から又は側面からのどちらかで開けることができる。ドアはまた、持ち上げるタイプ、上から吊るすタイプ、又は、滑らせるタイプのものがある。ドアは、別個の制御器、予めプログラムされたコンピュータアプリケーションソフトウエアなどで、機械的に開閉可能に操作される場合もある。
【００２８】
概して、椅子は水平面に対して最小限５度の角度を有して後方に傾斜しており、椅子の前面の最も高い点は椅子の最も低い点よりも高い。スチームバスキャビネットのパーティションの壁は背もたれとして機能する場合があり、或いは、背もたれはパーティションに支持された別個の背もたれからなるかもしれない。別個の背もたれは垂直面に対して後方に傾斜している場合がある。好ましくは、背もたれの角度は垂直面に対して後方に向けて少なくとも１０度あり、背もたれ接平面の高い交差位置は低い交差位置の後ろにある。いくつかのケースでは、椅子は平坦であるか、或いは、０度から５度の傾斜を有している場合があり、背もたれを有している場合も有していない場合もある。背もたれが互いに違った角度で垂直面に対して違った角度の区画を有するような方法で、椅子が作られることもある。それでさえ、全体として背もたれは、後方に傾斜している。いくつかの実施形態では、入浴者はスチームバスキャビネット内に立っているかもしれない。入浴者がスチームバスキャビネット内で立ったり座ったりを交互に行う間に、スチームバスを受けるプログラムはいくつかの段階を含むかもしれない。
【００２９】
入浴者の身体の大きさに応じて座る位置を変えることなく調節することが容易であるような方法で、椅子の動きは実行されることが可能である。座ったり立ったりする水準を変えることなく蒸気空間の上の区画の高さを調節することによって、入浴者の頭は蒸気空間の外で背の高さに関係なく多かれ少なかれ同じ位置に調節されることができる。高さ調節は、後方に向けた角度で、背もたれが後方に向けて傾斜しているのとほとんど同じ角度で実行される。椅子又は椅子の部分を置き換えることによって、或いは、関連する人の高さに応じて椅子の下の浮揚ブロックを置き換えることによって、この調節はなされる。加えて、椅子は、必要であれば、掃除の間に、そして、椅子特に背面区画を清掃し洗浄するために、スチームバスキャビネットから容易に持ち上げることができるような方法で設計されることがある。
【００３０】
図１乃至図３に示される実施形態では、蒸気パイプ、及び／又は、機械室から浴室へ置かれたホースの端は開かれているが、いくつかのケースでは、それらは逆止弁、及び／又は、蒸気の流れを規制するノズルを有するかもしれない。蒸気の流れの調節は、各々のノズルを通る流れを手動で阻止することによって、或いは、電気的に及び／又は空気圧で及び／又は電磁気的に制御された別個の蒸気流調節弁を使うことによって、成し遂げられることができる。いくつかのケースでは、好ましい蒸気流を達成するために、蒸気ノズルは回転されることがある。蒸気ノズルの前には、蒸気流を望まれるように調節するために使用されることがある流れガイドがある。いくつかのケースでは、これらの蒸気生成器と蒸気パイプ、及び／又は、ホースとノズルは、ポリウレタン、或いは、上にて説明したような他の類似の方法で断熱されるかもしれない。
【００３１】
蒸気生成器と加熱装置と制御ユニットとに加えて、機械室は、スチームバスの前後にスチームバスキャビネットを掃除、消毒、乾燥するための洗浄消毒装置を含むかもしれない。加えて、仮にオーディオビデオ設備がスチームバスキャビネットに関連して据え付けられるのであれば、スチームバスは、制御ライトなどに必要とされる電池を含んだ他の必要な器具と設備とを含むかもしれない。更に、そのような設備は、ノズルと流れガイドとを制御するためのアクセサリからなるかもしれない。蒸気空間内で温度と湿度とを調節し、機械室と排水システムと蒸気室の下方部分との温度を規制して乾燥し、ドアを開閉し、スチームバスキャビネットを移動し、スチームバスキャビネットの椅子と肘掛けと首休めとを調節し、圧縮空気を生成して制御し、洗浄消毒装置を制御する。
【００３２】
蒸気生成器が電池内に貯えられた電気エネルギによって電力を供給される発電機からなるように、本発明に係るスチームバスキャビネットは良いエネルギ効率を提供する。充分な電力水準を確実にするためには電圧２４Ｖの電池を有することが望ましいが、多くのケースでは１２Ｖのシステムも実行可能である。そのような電力システムを使用するスチームバスキャビネットは、湿気と、１１０Ｖや２２０Ｖの主電圧で動作しているシステムのような他の安全システムを必要としない。このタイプのスチームバスキャビネットの電池は主電力で再充電が可能であり、或いは、例えば主電力が利用できないのであれば、太陽光パネル／電池で再充電される。太陽光パネル／電池は別個のスタンドに取り付けられることができ、及び／又は、スチームバスキャビネットの外側表面に取り付けられることもできる。このタイプの実施形態では、電池から引き出される電力でスチームバスキャビネットの他の機能を動作させるようにすることもできる。
【００３３】
電気に代わって、液化ガス、メタノール変性アルコールその他の液体燃料が蒸気生成器にエネルギを供給することができる。そのような生成器によって提供される有利な点は、このような方法でエネルギを供給される蒸気生成器は電気が利用できない条件でも使用できることである。
【００３４】
本発明に係るスチームバスキャビネットの機械室は、加圧された蒸気、及び／又は、熱的エネルギを貯えるために使用されることができる加圧蒸気タンク、及び／又は、熱湯貯蔵庫を含む。最適なことに、このタイプのスチームバスキャビネットも、電気的又は機能的な蒸気生成器が利用できない条件で使用できる。蒸気タンクを使って、蒸気生成器の最大蒸気出力を少しの間増やすことが可能である。蒸気生成器の中で蒸発させるために水を予め加熱するため、或いは、熱湯を貯えるために、熱湯貯蔵庫が使用されることがある。そうであれば、蒸気生成器は蒸発させるために水を最初に加熱する必要はなく、代わって、生成器は、既に沸点に近い湯の温度を沸点へ迅速に上昇させれば充分である。このことにより蒸気生成器はエネルギ消費を減じることができ、スチームバスキャビネットの蒸気生成器が電気駆動であれば特に有利となる。加えて、蒸気タンク又は熱湯貯蔵庫が効率良く充分に断熱されているとき、水／蒸気を熱い状態に保つのに比較的低出力の加熱装置で充分である。例えば、電池駆動のスチームバスキャビネットでは、ガス即ち主動力動作のボイラーで予め加熱された湯で（また、例えば熱湯給水口でも）熱湯貯蔵庫は前もって満たされることができる。それから、熱湯貯蔵庫の統合された加熱器は水を加熱するために使われる必要はなく、代わりに、熱湯貯蔵庫の断熱を通る損失を補うために充分な熱が加熱装置で生成されれば足りる。
【００３５】
いくつかのケースでは、スチームバスキャビネットの機能は、スチームバスキャビネットの内側、及び／又は、外側に配置されて機械室に置かれた制御設備に、電気的、空気圧、油圧のいずれかで接続された押しボタン、及び／又は、制御部で制御される場合がある。コンピュータを備えたスチームバスキャビネットは、個々のケースに好適なスチームバスプログラムを選択することによって、予めプログラムされたコンピュータプログラムによって制御されることがある。硬貨、紙幣、チャージカード、クレジットカード、代用硬貨で動作する自動販売機を使って、或いは、ボタンを押して特別なプログラムコードを選択することで、プログラムは選択される。いくつかのケースでは、入浴者の体温、血圧、呼吸、脈拍、エネルギ消費に応じて、スチームバスキャビネットは制御され、及び／又は、調節されることがある。スチームバスキャビネットの操作は、完全に手動とすることもできるし、或いは、プログラムに基づいた完全な自動にもできるし、或いは、二つを結合した場合もできる。実行途中に自動プログラムを停止させたり変更させたりするのに使用される手動の制御部を備えることが望ましい。同様に、蒸気室の状態、機械室の状態、入浴者の条件の状態を監視するために、例えば、不調の場合、即ち、入浴者が発作を起こすなら、入浴者の安全が考慮されるように、スチームバスキャビネットの機能を制御することができるセンサ（図３に示される実施形態のセンサ２５〜２７のような）、及び／又は、音による警報器を有することが望ましい。
【００３６】
概して、本発明に係るスチームバスキャビネットは、入浴者がいないときに望ましい場所への移動を容易にするホイールを備える。スチームバスキャビネットは、入浴者が中に入っているとき、スチームバスキャビネットを動かすことができるのに充分に強くて容易に回転するホイールを備えることもできる。加えて、本発明に係る１又は２以上のスチームバスキャビネットが並べて置かれ、単一の蒸気生成器が２又はいくつかの浴室のために蒸気を生成するのに使用されるように、蒸気生成が配置されることができる。それらのスチームバスキャビネットはまた、同じ共通の洗浄消毒設備を使って洗浄と消毒がされることができる。
【００３７】
本発明は、提示された有利な応用例に限定されず、特許請求の範囲に手形成される本発明の概念の枠内で変化させることが可能である。
【図面の簡単な説明】
【００３８】
【図１】本発明に係るスチームバスキャビネットの縦断面図を示す。
【図２】図１に係るスチームバスキャビネットの斜正面図を示す。
【図３】本発明に係る他のスチームバスキャビネットの立て断面図を示す。
【図１】
2009529932.tif 000003
【図２】
2009529932.tif 000004
【図３】
2009529932.tif 000005
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
一人又は数人のためのスチームバスキャビネットであって、床（１）と、壁（２）と、天井（３）と、開閉可能なドア（５）と、当該スチームバスキャビネット内部に形成される浴室（７）と、当該浴室に導かれる蒸気を製造する蒸気生成設備（１０）を収納する機械室（８）とを有し、当該スチームバスキャビネットは、当該浴室（７）と当該機械室（８）との間に配置され、蒸気及び水に対して耐性を有する方法で当該浴室を当該機械室から隔離するパーティション（６）を有するスチームバスキャビネットにおいて、
前記スチームバスキャビネットの前記浴室（７）の自由蒸気空間の容積は、一人当たり０．６立方メートル以下であり、
前記スチームバスキャビネットは、蒸気の量と流れとを制御するための制御装置（１２）を含むことを特徴とするスチームバスキャビネット。
【請求項２】
請求項１に記載のスチームバスキャビネットにおいて、
前記パーティション（６）は断熱を備えており、
前記パーティション（６）は、主に椅子（９）の形状に形成され、前記浴室（７）と機械室（８）との間にあって、当該浴室内に据え付けられる当該椅子に主に互換の位置に取り付けられることを特徴とするスチームバスキャビネット。
【請求項３】
請求項１又は請求項２に記載のスチームバスキャビネットにおいて、
前記浴室（７）は、前記蒸気生成設備（１０）によって生成された蒸気を入浴中に望ましい場所へ向けるために方向を調節できる調節可能な蒸気ノズル（２０）を含むことを特徴とするスチームバスキャビネット。
【請求項４】
バスキャビネット内に椅子（９）を備える、請求項１乃至請求項３のいずれか１項に記載のスチームバスキャビネットにおいて、
前記椅子（９）の高さを調節するために、前記浴室は、少なくとも１つのアクチュエータ（１８）を有することを特徴とするスチームバスキャビネット。
【請求項５】
請求項４に記載のスチームバスキャビネットにおいて、
前記椅子（９）は、別個独立して調節可能な少なくとも２つの部品に分けられることを特徴とするスチームバスキャビネット。
【請求項６】
請求項１乃至請求項５のいずれか１項に記載のスチームバスキャビネットにおいて、
前記浴室（７）は、自由蒸気室を別個の区画に分けるための少なくとも１つの仕切り壁を有することを特徴とするスチームバスキャビネット。
【請求項７】
請求項１乃至請求項６のいずれか１項に記載のスチームバスキャビネットにおいて、
前記機械室（８）は、前記スチームバスキャビネットに必要とされるエネルギを貯える電池を有することを特徴とするスチームバスキャビネット。
【請求項８】
請求項１乃至請求項７のいずれか１項に記載のスチームバスキャビネットにおいて、
前記スチームバスキャビネットは、当該スチームバスキャビネットの壁部（１〜３）上に凝縮される水を収集するための凝縮液管を有することを特徴とするスチームバスキャビネット。
【請求項９】
請求項１乃至請求項８のいずれか１項に記載のスチームバスキャビネットにおいて、
入浴後に前記浴室を乾燥させるために、当該浴室の下方部分に加熱装置（１１）があることを特徴とするスチームバスキャビネット。
【国際調査報告】
2009529932.tif 000006
2009529932.tif 000007
2009529932.tif 000008